(57)【要約】【課題】施工性及び経済性に優れた砂防堰堤及びその施工方法を提供する。【解決手段】鋼製スリットダム６は、コンクリート堤体２、２間の底部へ打設した基礎コンクリート５に下端部を埋設して建て込まれた柱材８の頭部に、河川横断方向に配置した梁材７が接合されて構成されている。コンクリート堤体２には、河川中央を向く面に鞘管１０が埋め込まれている。梁材７は、その端部を前記鞘管１０内へ挿入して固定されている。【選択図】図１
2007277972.tif 000002
【特許請求の範囲】
【請求項１】
河川の横断方向両岸のコンクリート堤体間に鋼製スリットダムが設置された砂防堰堤であって、
鋼製スリットダムは、コンクリート堤体間の底部へ打設した基礎コンクリートに下端部を埋設して建て込まれた柱材の頭部に、河川横断方向に配置した梁材が接合されて成り、
コンクリート堤体には、河川中央を向く面に鞘管が埋め込まれており、
前記梁材は、その端部を前記鞘管内へ挿入して固定されていることを特徴とする、砂防堰堤。
【請求項２】
平面的に見て鋼製スリットダムの梁材の下流側に、前記梁材に繋ぎ材を介して接合された下流側梁材が、その端部をコンクリート堤体へ埋め込まれた鞘管内へ挿入して固定されていることを特徴とする、請求項１に記載した砂防堰堤。
【請求項３】
鋼製スリットダムを構成する梁材は、高さ方向に複数本設けられており、各梁材の端部はコンクリート堤体の河川中央を向く面に埋め込まれた鞘管内へ挿入して固定されていることを特徴とする、請求項１又は２に記載した砂防堰堤。
【請求項４】
コンクリート堤体に埋め込まれる鞘管は、固定金具により位置決めしてコンクリート中に埋め込まれていることを特徴とする、請求項１〜３のいずれか一に記載した砂防堰堤。
【請求項５】
コンクリート堤体に埋め込まれた鞘管内へ、梁材を分割したフランジ付鋼製部材が挿入され、該フランジ付鋼製部材と梁部材とを連結して梁材が設置されていることを特徴とする、請求項１〜４のいずれか一に記載した砂防堰堤。
【請求項６】
梁材の端部は、同梁材と鞘管との間に生じる空隙に伸縮性の有る充填材を充填して位置決めされ、又は固定金具により位置決めされていることを特徴とする、請求項１〜５のいずれか一に記載した砂防堰堤。
【請求項７】
コンクリート堤体には、鞘管の代わりに梁材を分割したフランジ付鋼製部材が予め埋め込まれ、該フランジ付鋼製部材と梁部材とを連結して梁材が設置されていることを特徴とする、請求項１〜３のいずれか一に記載した砂防堰堤。
【請求項８】
コンクリート堤体へ埋め込まれるフランジ付鋼製部材は、固定手段により位置決めしてコンクリート中へ埋め込まれていることを特徴とする、請求項７に記載した砂防堰堤。
【請求項９】
鋼製スリットダムを構成する柱材は、幅方向に複数本建て込まれていることを特徴とする、請求項１に記載した砂防堰堤。
【請求項１０】
柱材は、その下端部がアンカーにより仮固定してコンクリート堤体間の底部に建て込まれ、打設した基礎コンクリートに直接固定されていること、又は鞘管を用いてコンクリート堤体間の底部に建て込まれ、該鞘管が打設した基礎コンクリートに固定されていることを特徴とする、請求項１又は９に記載した砂防堰堤。
【請求項１１】
河川の横断方向両岸のコンクリート堤体間に鋼製スリットダムを設置した砂防堰堤の施工方法であって、
梁材の外径よりも少し大きい内径の鞘管を河川中央を向く面に埋め込んだコンクリート堤体を構築する段階と、
柱材を前記コンクリート堤体間の底部に建て込む段階と、
前記コンクリート堤体へ埋め込んだ鞘管内へ、梁材を分割したフランジ付鋼製部材の端部を挿入し、分割した残りの梁部材と前記フランジ付鋼製部材とを連結して梁材を完成し設置する段階と、
前記柱材の頭部に、河川横断方向に配置した前記梁材を接合する段階と、
コンクリート堤体間に建て込んだ柱材の下端部を、コンクリート堤体間へ打設した基礎コンクリートの中へ埋め込み固定する段階とからなることを特徴とする、砂防堰堤の施工方法。
【請求項１２】
柱材は、その下端部をアンカーにより仮固定してコンクリート堤体間の底部に建て込み、打設した基礎コンクリートに直接固定すること、又は鞘管を用いてコンクリート堤体間の底部に建て込み、該鞘管を打設した基礎コンクリートに固定することを特徴とする、請求項１１に記載した砂防堰堤の施工方法。
【発明の詳細な説明】
【技術分野】
【０００１】
この発明は、コンクリート堤体間へ鋼製スリットダムを設置した砂防堰堤、及びその施工方法の技術分野に属し、更に云えば、施工性及び経済性に優れた砂防堰堤及びその施工方法に関する。
【背景技術】
【０００２】
我が国は、急峻な地形を有し脆弱な地質で構成されているため、梅雨や台風における豪雨等による巨礫や流木等の土砂災害によって多大な被害を被ることが知られている。そのため、土砂災害において出水に含まれる比較的小さい石や土砂は透過させて下流に流し、巨礫は押し止めて下流に流れることを防ぎ、二次災害を未然に防ぐ砂防堰堤の技術が種々開発されている。その一例として、下記特許文献１及び２には、コンクリート堤体間へ、複数の柱材及び該柱材を連結する梁材とで構成された立体構造の砂防堰堤を設置する技術が開示されている。しかし、この砂防堰堤は立体構造であるが故に、現場での組立作業に手間が掛かること、巨礫や流木等の捕捉で損傷した部材の修復や堆積土砂・礫の除去作業が難いこと、複雑な構成で部品点数が非常に多く製造コストが嵩むこと、等々多くの問題点がある。そこで、前記問題を解決する砂防堰堤として、例えば下記特許文献３には、下端部を基礎コンクリートに埋設して建て込まれた柱材の頭部に、河川横断方向に配置しコンクリート堤体へ直接埋め込み固定した梁材を接合して平面構造とした構成であると記載されている。この砂防堰堤は、土石流や流木等の衝撃力を直接梁材及び柱材で受け止めると共に、その衝撃力をコンクリート堤体と基礎コンクリートへ伝達する構成であり、面外荷重に対して安全性の高い構造である。
【０００３】
下記特許文献４に開示された砂防堰堤は、下端部を基礎コンクリートに埋設して建て込まれた柱材の頭部に、予めコンクリート堤体へ埋め込まれたアンカーへ溶接又はボルト接合等の接合手段で固定した梁材が接合された平面構造である。
【０００４】
また、下記特許文献５に開示された砂防堰堤は、コンクリート堤体に梁材の両端部を支持する収納部が形成されており、該収納部へ両端部が支持された梁材が、同梁材を貫通する鋼製の棒材で固定されている。前記梁材と柱材とが一体的に連結されている。柱材の下端部は、基礎コンクリートに埋め込まれて固定されている。
【０００５】
【特許文献１】特許第２６０７３３６号公報
【特許文献２】特公平５−２０５０号公報
【特許文献３】特開２００２−１２１７２８号公報
【特許文献４】特公昭５９−４０９６６号公報
【特許文献５】特開２００１−３０３５３８号公報
【発明の開示】
【発明が解決しようとする課題】
【０００６】
上記特許文献３に開示された砂防堰堤は、梁材の両端部を直接コンクリート堤体へ埋め込み固定する構成なので、温度変化よってコンクリートや梁材、柱材が伸縮すると、熱応力によるコンクリートのひび割れが問題となる。また、土石流、流木を捕捉した後には、それらを除去するため、鋼製スリットダムも合わせて除去する場合もあるが、梁材や柱材を直接本体部に埋め込んでいると除去に手間がかかる。さらに、砂防堰堤の施工方法の具体的な記述はないが、一般的な施工方法では、先ず、梁材と柱材を組合せて連結した鋼製スリットダムを形成し、その後、前記鋼製スリットダムへ堤体本体部コンクリートを打設する手順が行われる。しかし、この施工方法では、コンクリート堤体を打設する際に、鋼製スリットダムが倒れないように安全性を確保する手段が必要となり、施工性及び経済性に問題がある。
【０００７】
上記特許文献４に開示された砂防堰堤も、梁材は、その両端部をコンクリート堤体へ埋め込んだアンカーを介して固定する構成なので、やはり、温度変化によってコンクリートや梁材、柱材が伸縮すると、熱応力によりコンクリートがひび割れる。その上、予め堤体本体部コンクリートへ埋め込んだアンカーを介して梁材の両端部を固定するには、施工誤差が問題となる。
【０００８】
上記特許文献５に開示された砂防堰堤は、コンクリート堤体に固定される梁材が棒材によってのみ固定された構成であるから、巨礫や流木等による強い衝撃に弱く十分な捕捉が得られない問題がある。また、コンクリート堤体へ、梁材の両端部を支持する収納部を設ける必要があるなど、施工性及び経済性にも問題がある。
【０００９】
本発明の目的は、温度変化によるコンクリートや梁材、柱材の伸縮歪や熱応力を吸収可能なスライド可能構造を採用し、コンクリートのひび割れを抑止する砂防堰堤及びその施工方法を提供することである。
【００１０】
本発明の次の目的は、梁材をコンクリート堤体へ設置するに際し、その施工誤差を吸収可能な構成であり、しかも、梁材及び柱材を着脱可能とし、土石流、流木を捕捉した後に、それらの除去のため、鋼製フレームを取り外して工事できるようにして、工事を簡単にでき、鋼製フレームも簡単に交換でき、鋼製砂防ダムを容易に復旧できる砂防堰堤及びその施工方法を提供することである。
【００１１】
本発明の更なる目的は、コンクリートを打設してコンクリート堤体を構築する作業と、梁材と柱材とより成る鋼製スリットダムの組立作業とを分離可能とし、施工性及び経済性に優れた砂防堰堤及びその施工方法を提供することである。
【課題を解決するための手段】
【００１２】
上述した従来技術の課題を解決するための手段として、請求項１に記載した発明に係る砂防堰堤は、
河川の横断方向両岸のコンクリート堤体２、２間に鋼製スリットダム６が設置された砂防堰堤１であって、
鋼製スリットダム６は、コンクリート堤体２、２間の底部へ打設した基礎コンクリート５に下端部を埋設して建て込まれた柱材８の頭部に、河川横断方向に配置した梁材７が接合されて成り、
コンクリート堤体２には、河川中央を向く面に鞘管１０が埋め込まれており、
前記梁材７は、その端部を前記鞘管１０内へ挿入して固定されていることを特徴とする。
【００１３】
請求項２に記載した発明は、請求項１に記載した砂防堰堤において、
平面的に見て鋼製スリットダム６の梁材７の下流側に、前記梁材７に繋ぎ材１１を介して接合された下流側梁材９が、その端部をコンクリート堤体２へ埋め込まれた鞘管１０内へ挿入して固定されていることを特徴とする。
【００１４】
請求項３に記載した発明は、請求項１又は２に記載した砂防堰堤において、
鋼製スリットダム６を構成する梁材７は、高さ方向に複数本設けられており、各梁材７の端部はコンクリート堤体２の河川中央を向く面に埋め込まれた鞘管１０内へ挿入して固定されていることを特徴とする。
【００１５】
請求項４に記載した発明は、請求項１〜３のいずれか一に記載した砂防堰堤において、
コンクリート堤体２に埋め込まれる鞘管１０は、固定金具１２により位置決めしてコンクリート中に埋め込まれていることを特徴とする。
【００１６】
請求項５に記載した発明は、請求項１〜４のいずれか一に記載した砂防堰堤において、
コンクリート堤体２に埋め込まれた鞘管１０内へ、梁材７を分割したフランジ付鋼製部材７ｂが挿入され、該フランジ付鋼製部材７ｂと梁部材７ａとを連結して梁材７が設置されていることを特徴とする。
【００１７】
請求項６に記載した発明は、請求項１〜５のいずれか一に記載した砂防堰堤において、
梁材７の端部は、同梁材７と鞘管１０との間に生じる空隙に伸縮性の有る充填材を充填して位置決めされ、又は固定金具により位置決めされていることを特徴とする。
【００１８】
請求項７に記載した発明は、請求項１〜３のいずれか一に記載した砂防堰堤において、
コンクリート堤体２には、鞘管１０の代わりに梁材７を分割したフランジ付鋼製部材７ｂが予め埋め込まれ、該フランジ付鋼製部材７ｂと梁部材７ａとを連結して梁材７が設置されていることを特徴とする。
【００１９】
請求項８に記載した発明は、請求項７に記載した砂防堰堤において、
コンクリート堤体２へ埋め込まれるフランジ付鋼製部材７ｂは、固定手段１３により位置決めしてコンクリート中に埋め込まれていることを特徴とする。
【００２０】
請求項９に記載した発明は、請求項１に記載した砂防堰堤において、
鋼製スリットダム６を構成する柱材８は、幅方向に複数本建て込まれていることを特徴とする。
【００２１】
請求項１０に記載した発明は、請求項１又は９に係る砂防堰堤において、
柱材８は、その下端部がアンカー１４により仮固定してコンクリート堤体２、２間の底部に建て込まれ、打設した基礎コンクリート５に直接固定されていること、又は鞘管１５を用いてコンクリート堤体２、２間の底部に建て込まれ、該鞘管が打設した基礎コンクリート５に固定されていることを特徴とする。
【００２２】
請求項１１に記載した発明に係る砂防堰堤の施工方法において、
河川の横断方向両岸のコンクリート堤体の間に鋼製スリットダムを設置した砂防堰堤の施工方法であって、
梁材７の外径よりも少し大きい内径の鞘管１０を河川中央を向く面へ埋め込んだコンクリート堤体２を構築する段階と、
柱材８を前記コンクリート堤体２、２間の底部に建て込む段階と、
前記コンクリート堤体２へ埋め込んだ鞘管１０内へ、梁材７を分割したフランジ付鋼製部材７ｂの端部を挿入し、分割した残りの梁部材７ａと前記フランジ付鋼製部材７ｂとを連結して梁材７を完成し設置する段階と、
前記柱材８の頭部に、河川横断方向に配置した前記梁材７を接合する段階と、
コンクリート堤体２間に建て込んだ柱材８の下端部を、コンクリート堤体２、２間へ打設した基礎コンクリート５の中へ埋め込み固定する段階とからなることを特徴とする、砂防堰堤の施工方法。
【００２３】
請求項１２に記載した発明は、請求項１１に係る砂防堰堤の施工方法において、
柱材８は、その下端部をアンカー１４により仮固定してコンクリート堤体２、２間の底部に建て込み、打設した基礎コンクリート５に直接固定すること、又は鞘管１５を用いてコンクリート堤体２、２間の底部に建て込み、該鞘管１５を打設した基礎コンクリート５に固定することを特徴とする。
【発明の効果】
【００２４】
本発明の砂防堰堤及びその施工方法によれば、梁材７はコンクリート堤体２へ予め埋め込まれた鞘管１０内へ端部を挿入して設置されるので、前記鞘管１０と梁材７の端部との間に、コンクリートや梁材７、柱材８の伸縮歪みを吸収可能なスライド可能構造とする空隙を形成することができ、熱応力を解消してコンクリートのひび割れを抑止することができる。
【００２５】
また、本発明の砂防堰堤及びその施工方法は、鞘管１０内へ梁材７を分割したフランジ付鋼製部材７ｂの端部を挿入し、分割した残りの梁部材７ａとフランジ付鋼製部材７ｂとを連結して梁材７を組立て完成して設置するので、梁材７の施工誤差を充分に吸収することができる。しかも、梁材７及び柱８は着脱可能なので、土石流、流木を捕捉した後に、それらを除去するため、鋼製スリットダム６も取り外して（解体して）工事ができる。そのため、除去工事が簡単になるばかりでなく、鋼製スリットダム６も簡単に復旧工事することができる。
【００２６】
更に、本発明の砂防堰堤及びその施工方法は、コンクリートを打設してコンクリート堤体２を構築する作業と、梁材７と柱材８とより成る鋼製スリットダム６を組立てる作業とを分離可能なので、コンクリート堤体２、２間へ鋼製スリットダム６を設置するに際し、該鋼製スリットダム６の安全性を確保する必要がなく、施工の大幅な短期化を図ることができ、施工性及び経済性に優れている。
【発明を実施するための最良の形態】
【００２７】
河川の横断方向両岸のコンクリート堤体２、２間に鋼製スリットダム６が設置された砂防堰堤及びその施工方法であり、コンクリート堤体２、２間の底部へ打設した基礎コンクリート５に下端部を埋設して建て込まれた柱材８の頭部に、河川横断方向に配置した梁材７を接合して構成する。コンクリート堤体２には、河川中央を向く面に鞘管１０が埋め込まれ、梁材７の端部を前記鞘管１０内へ挿入して固定する。
【００２８】
砂防堰堤１の施工方法は、先ず、梁材７の外径よりも少し大きい内径の鞘管１０を内部へ埋め込んだコンクリート堤体２を構築する。次に、柱材８をコンクリート堤体２間の底部に建て込む。次に、コンクリート堤体２へ埋め込んだ鞘管１０内へ、梁材７を分割したフランジ付鋼製部材７ｂの端部を挿入し、分割した残りの梁部材７ａとフランジ付鋼製部材７ｂとを連結して梁材７を完成し設置する。次に、柱材８の頭部に、河川横断方向に配置した梁材７を接合する。最後に、コンクリート堤体２、２間に建て込んだ柱材８の下端部を、コンクリート堤体２間へ打設した基礎コンクリート５の中へ埋め込み固定する。
【実施例１】
【００２９】
以下に、本発明に係る砂防堰堤及びその施工方法を図１〜図１５に基づいて説明する。
図１は、梅雨や台風における豪雨等による土石流や流木等の土砂災害が懸念される山間地の河川の横断方向両岸のコンクリート堤体２、２間へ鋼製スリットダム６が設置された砂防堰堤１の実施例を示している。
【００３０】
この砂防堰堤１の鋼製スリットダム６は、コンクリート堤体２、２間の底部へ打設した基礎コンクリート５に下端部を埋設して建て込まれた柱材８の頭部に、河川横断方向に配置した梁材７が接合されて構成されている。コンクリート堤体２には、河川中央を向く面（スリットの開口面）に鞘管１０が埋め込まれており、前記梁材７は、その端部を前記鞘管１０内へ挿入して固定されている。前記鋼製スリットダム６の梁材７と柱材８は主に鋼管で製作され、共に外径が５００ｍｍ程度である。また、本実施例の梁材７と柱材８とで構成された鋼製スリットダム６の大きさは、高さが４ｍ〜５ｍ程度、横幅が４ｍ〜５ｍ程度である。
【００３１】
この砂防堰堤１の施工方法は、先ず、図２に示すように、鞘管１０を設置する高さＴまで、堤体本体部コンクリート３の下部を打設する。この堤体本体部コンクリート３は、前記柱材８の固定用に打設する基礎コンクリート５を考慮した高さに設計する。
次に、図３に示すように、前記堤体本体部コンクリート３の上面部に、梁材７の外径よりも少し大きな内径の鞘管１０を設置し、再度コンクリートを打設して前記鞘管１０をコンクリート中に埋め込み、堤体本体部コンクリート３を完成させる。更に、同堤体本体部コンクリート３の上部に袖部コンクリート４を打設して、コンクリート堤体２を構築する。因みに、前記鞘管１０は、摩耗や衝撃に強い鋼製が好ましい。前記コンクリート堤体２の高さは、最大１４．５ｍとする。
【００３２】
コンクリート堤体２へ鞘管１０を埋め込むに際し、鞘管１０の位置を調整するため、固定金具１２ａ〜１２ｄにより鞘管１０を位置決めした状態でコンクリート中に埋め込む（請求項４記載の発明）。図８（ａ）〜（ｄ）は、前記固定金具１２ａ〜１２ｄで鞘管１０を位置決めする手段の一例を示している。
【００３３】
即ち、図８（ａ）は、コンクリート堤体２へ固定した鉄筋又はターンバックル１２ａに鞘管１０を取付けて位置決めした実施形態を示している。図８（ｂ）は、コンクリート堤体２へアンカーで固定した梁受け部材１２ｂを鞘管１０に取り付けて位置決めした実施形態を示している。図８（ｃ）は、コンクリート堤体２へアンカーで固定した鉄板１２ｃの上に鞘管１０を載置させて位置決めした実施形態を示している。図８（ｄ）は、コンクリート堤体２へアンカーで固定した架台に取付けたネジ調整金具１２ｄの上に鞘管１０を載置させて位置決めした実施形態を示している。
【００３４】
次に、図４は、柱材８の下端部をアンカー１４により仮固定してコンクリート堤体２、２間の底部に建て込んだ段階、及び鞘管１５を用いてコンクリート堤体２、２間の底部に建て込んだ段階を示している。なお、図４中の波線Ｘは、柱材８の下端部を固定するために打設する基礎コンクリート５の高さを示している。
【００３５】
次に、図５は、前記鞘管１０内へ、梁材７を分割したフランジ付鋼製部材７ｂの端部を挿入する段階を示し、図６は、前記フランジ付鋼製部材７ｂと梁部材７ａとを接合して連結し、梁材７を完成させる段階を示している（請求項５記載の発明）。前記フランジ付鋼製部材７ｂと梁部材７ａとはフランジを介してボルト接合されるが、溶接接合として実施してもよい。なお、フランジ付鋼製部材７ｂは、鞘管１０との空隙に伸縮性のある充填材を充填して位置決めしたり、又は固定金具により位置決めする（請求項６記載の発明）。図９（ａ）〜（ｆ）は、フランジ付鋼製部材７ｂを位置決する手段の一例を示している。
【００３６】
即ち、図９（ａ）は、伸縮性の有るコーキング材１３ａを鞘管１０の開口付近に充填してフランジ付鋼製部材７ｂを位置決めした実施形態を示している。前記フランジ付鋼製部材７ｂの端面と鞘管１０との間にはクリアランスを確保している。図９（ｂ）は、伸縮性の有る目地材又は充填材１３ｂを、前記空隙に充填してフランジ付鋼製部材７ｂを位置決めした実施形態を示している。前記目地材又は充填材１３ｂは、例えば、砂系、セメント系（モルタルなど）、樹脂系（エラスタイト）、ゴム系などを用いる。なお、図９（ｃ）に示すように、前記空隙に充填材１３ｂを充填すると共に、フランジ付鋼製部材７ｂへ注入孔１７を設け、該注入孔１７からフランジ付鋼製部材７ｂの内部にも伸縮性の有る目地材又は充填材６ｂを充填して実施すると効果的である。図９（ｄ）〜図９（ｆ）は、フランジ付鋼製部材７ｂに位置固定げた１３ｃを設けて同フランジ付鋼製部材７ｂを位置決めした実施形態を示している。因みに、図９（ｅ）に示す実施形態の場合は、鞘管１０の内面へ前記位置固定げた１３ｃの挿入ガイト１３ｃ’を設けている。
【００３７】
そして、図６に示すように、柱材８の頭部に、河川横断方向に配置した梁材７をボルト接合で一体的に連結する。最後に、図７は、建て込んだ柱材８の下端部を直接、又は鞘官１５を打設した基礎コンクリート５の中へ埋め込み固定した段階を示している。因みに、図１０に示す砂防堰堤１は、コンクリート堤体２、２間の底部に建て込んだ柱材８の下端部を鞘管内１５へ挿入した場合に、前記鞘官１５を打設した基礎コンクリート５の中へ埋め込み固定した実施形態を示している。
【００３８】
したがって、本発明の砂防堰堤及びその施工方法によれば、梁材７はコンクリート堤体２へ予め埋め込まれた鞘管１０内へ端部を挿入して設置されるので、前記鞘管７と梁材８の端部との間に、コンクリートや梁材７、柱材８の伸縮歪みを吸収可能なスライド可能構造とする空隙を形成することができ、熱応力を解消してコンクリートのひび割れを抑止することができる。
【００３９】
また、鞘管１０内へ梁材７を分割したフランジ付鋼製部材７ｂの端部を挿入し、分割した残りの梁部材７ａとフランジ付鋼製部材７ｂとを連結して梁材７を組立て完成して設置するので、梁材７の施工誤差を充分に吸収することができる。しかも、梁材７及び柱８は着脱可能なので、土石流、流木を捕捉した後に、それらを除去するため、鋼製スリットダム６も取り外して（解体して）工事ができる。そのため、除去工事が簡単になるばかりでなく、鋼製スリットダム６も簡単に復旧工事することができるようになる。
【００４０】
更に、梁材７はコンクリート堤体２に埋め込まれた鞘管１０内へ端部を挿入して設置し、梁材７と柱材８の頭部とを一体的に連結し、柱材８の下端部は基礎コンクリート５に埋設して設置しただけの簡易な平面構造なので、部品点数が少なく、構造的に簡略化できる。そして、更に、コンクリートを打設してコンクリート堤体２を構築する作業と、梁材７と柱材８とより成る鋼製スリットダム６を組立てる作業とを分離可能なので、コンクリート堤体２、２間へ鋼製スリットダム６を設置するに際し、該鋼製スリットダム６の安全性を確保する必要がなく、施工の大幅な短期化を図ることができ、施工性及び経済性に優れている。
【００４１】
なお、梁材７の両端部は、鞘管１０内へ挿入して設置する場合に限らない。例えば、一方のコンクリート堤体２に、予め鞘管１０の代わりに梁材７を分割したフランジ付鋼製部材７ｂを埋め込み、該フランジ付鋼製部材７ｂと梁部材７ａとを連結して梁材７を設置して実施することもできる（請求項７記載の発明）。本実施形態の砂防堰堤１も、梁材７をコンクリート堤体２へ設置するに際し、その施工誤差を充分に吸収することができる。勿論、一方のコンクリート堤体２に埋め込まれた鞘管１０と梁材７の端部との間に、コンクリートや梁材７、柱材８の伸縮歪みを吸収可能なスライド可能構造とする空隙を形成しているので、熱応力を解消してコンクリートのひび割れを抑止することができる。
【００４２】
因みに、コンクリート堤体２に埋め込まれたフランジ付鋼製部材７ｂは、固定金具１６により位置決めした状態でコンクリート中に埋め込まれている（請求項８記載の発明）。図１１（ａ）〜（ｄ）は、前記フランジ付鋼製部材７ｂを位置決する手段の一例を示している。即ち、図１１（ａ）は、コンクリート堤体２とフランジ付鋼製部材７ｂとの間に、調整げた材１６ａを設けて位置決めした実施形態を示している。図１１（ｂ）は、フランジ付鋼製部材７ｂの両側面に補強筋１６ｂ（図示例では６本）を設けて位置決めした実施形態を示している。図１１（ｃ）は、フランジ付鋼製部材７ｂの両側面に留め金具１６ｃを設けて位置決めした実施形態を示している。図１１（ｄ）は、箱抜きしたコンクリート堤体２へ、外周にゴムシートを巻いたフランジ付鋼製部材７ｂを差し込み、コンクリート堤体２とフランジ付鋼製部材７ｂとの空隙にモルタルコンクリート１６ｄを充填してフランジ付鋼製部材７ｂを位置決めした実施形態を示している。
【実施例２】
【００４３】
図１２の砂防堰堤１は、コンクリート堤体２、２間が広い場合に、該コンクリート堤体２間の中間位置にコンクリート隔壁１８が構築され、該コンクリート隔壁１８とコンクリート堤体２との間に鋼製スリットダム６が設置された実施例を示している。本実施例の砂防堰堤１は、鞘管１０又はフランジ付鋼製部材７ｂを埋め込んだコンクリート隔壁１８をコンクリート堤体２の中間位置に構築する他は、上記実施例１と同様の施工方法で実施される。
【実施例３】
【００４４】
図１３及び図１４の砂防堰堤１は、ダム高（鋼製高）が高く、柱材８が長くなり、１本の梁材７のみでは、巨礫を押し止めて下流に流れることを防ぐには不十分である場合に、柱材８の高さ方向の中間位置にも、コンクリート堤体２に予め埋め込まれた鞘管１０内へ端部を挿入した梁材７が、前記柱材８と一体的に連結して設置された実施例を示している。本実施例の砂防堰堤１は、平面的に見て鋼製スリットダム６の梁材７の下流側に、前記梁材７と繋ぎ材１１を介して接合された下流側梁材９が、その端部をコンクリート堤体２へ埋め込まれた鞘管１０内へ挿入して固定された立体骨組構造とし、巨礫や流木等による強い衝撃を受けても十分な捕捉が得られる構成である。因みに、図１３に示す、鋼製スリットダム６の大きさは、高さが７ｍ〜８ｍ程度、横幅が６ｍ〜８ｍ程度、奥行きが２ｍ〜３ｍ程度である。
【００４５】
なお、図１３で示した砂防堰堤１よりも、ダム高（鋼製高）が高く、柱材８が長くなる場合には、図１５で示すように、複数本の梁材７及び下流側梁材９を、上記図１３で示した実施形態と同様の施工方法で設置して実施することも勿論可能である。因みに、図１５に示す、鋼製スリットダム６の大きさは、高さが６ｍ〜８ｍ程度、横幅が１０ｍ〜１１ｍ程度、奥行きが２ｍ〜３ｍ程度である。
【００４６】
以上、本発明を実施例に基づいて説明したが、勿論、図示した実施例の限りではない。本発明の要旨及び技術的思想を逸脱しないかぎり、当業者の変形、応用にしたがい様々な実施例が成立することを、敢えてここに、言及する次第です。
【図面の簡単な説明】
【００４７】
【図１】本発明に係る砂防堰堤を示す斜視図である。
【図２】本発明に係る砂防堰堤の施工手順を示す段階図である。
【図３】本発明に係る砂防堰堤の施工手順を示す段階図である。
【図４】本発明に係る砂防堰堤の施工手順を示す段階図である。
【図５】本発明に係る砂防堰堤の施工手順を示す段階図である。
【図６】本発明に係る砂防堰堤の施工手順を示す段階図である。
【図７】本発明に係る砂防堰堤の施工手順を示す段階図である。
【図８】（ａ）〜（ｄ）は鞘管を固定金具で位置決めする手段を示す説明図である。
【図９】（ａ）〜（ｆ）は鞘管内へ挿入したフランジ付鋼製部材を位置決めする手段を示す説明図である。
【図１０】本発明に係る砂防堰堤を示す斜視図である。
【図１１】（ａ）〜（ｄ）は、フランジ付鋼製部材を位置決めする手段を示す説明図である。
【図１２】実施例２の砂防堰堤を示す概念図である。
【図１３】実施例３の砂防堰堤を示す斜視図である。
【図１４】図１３に示した砂防堰堤の縦断面図である。
【図１５】実施例３の砂防堰堤の異なる実施形態を示す斜視図である。
【符号の説明】
【００４８】
１              砂防堰堤
２              コンクリート堤体
３              堤体本体部コンクリート
４              袖部コンクリート
５              基礎コンクリート
６              鋼製スリットダム
７              梁材
７ａ            梁部材
７ｂ            フランジ付鋼製部材
８              柱材
９              下流側梁材
１０            鞘管
１１            繋ぎ材
１２ａ〜１２ｄ  鞘管用の固定金具
１３ａ〜１３ｃ  鞘管へ挿入されるフランジ付鋼製部材の位置決め手段
１６ａ〜１６ｄ  フランジ付鋼製部材の位置決め手段
【図１】
2007277972.tif 000003
【図２】
2007277972.tif 000004
【図３】
2007277972.tif 000005
【図４】
2007277972.tif 000006
【図５】
2007277972.tif 000007
【図６】
2007277972.tif 000008
【図７】
2007277972.tif 000009
【図８】
2007277972.tif 000010
【図９】
2007277972.tif 000011
【図１０】
2007277972.tif 000012
【図１１】
2007277972.tif 000013
【図１２】
2007277972.tif 000014
【図１３】
2007277972.tif 000015
【図１４】
2007277972.tif 000016
【図１５】
2007277972.tif 000017